(57)【要約】【課題】  十分に小型化が可能で、かつ外観性を向上させることが出来、特に筆記具感覚で使用者が最も把持しやすい、ペン型に近い形状の塗膜転写具を提供する。【解決手段】  テープ基材上に塗膜を設けた転写テープと、転写テープを巻いた繰り出しリールと、塗膜とテープ基材とを分けながら塗膜を被転写面に転写させる転写ヘッドと、分かれたテープ基材を巻き取る巻き取りリールとを備え、両リールを連動機構により回転させる塗膜転写具において、前記両リールとの間に中間ギヤを介在させ、一方のリールと中間ギヤとの間はベルトで伝動し、他方のリールと中間ギヤとの間はギヤで伝動することを特徴とする塗膜転写具。【選択図】      図１
2006069031.tif 000002
【特許請求の範囲】
【請求項１】
テープ基材上に塗膜を設けた転写テープと、転写テープを巻いた繰り出しリールと、塗膜とテープ基材とを分けながら塗膜を被転写面に転写させる転写ヘッドと、分かれたテープ基材を巻き取る巻き取りリールとを備え、両リールを連動機構により回転させる塗膜転写具において、前記両リールとの間に中間ギヤを介在させ、一方のリールと中間ギヤとの間はベルトで伝動し、他方のリールと中間ギヤとの間はギヤで伝動することを特徴とする塗膜転写具。
【発明の詳細な説明】
【技術分野】
【０００１】
この発明は、転写テープの表面に有する修正用塗膜、接着用粘着膜、装飾用塗膜やマーキング用塗膜等を転写ヘッドにより被転写面に対して押圧しつつスライドさせることで転写、塗布してなる塗膜転写具に関する。
【背景技術】
【０００２】
従来、転写テープの表面に有する修正用塗膜等を転写ヘッドにより被転写面に対して押圧しつつスライドさせることで転写、塗布してなる塗膜転写具において、塗膜転写具として把持し易いように先端部を細長くしたペンタイプのものが提案されている。
【０００３】
例えば、特許文献１の図１の様に繰り出しリールと巻き取りリールとの間を一対のギヤで連動回転され、転写テープが繰り出しリールから繰り出される位置の方向と転写ヘッドで転写テープの塗膜を被転写面に転写された後、残ったテープ基材が巻き取りリールに巻き取られる位置の方向とは、繰り出しリールと巻き取りリールの両軸芯を結ぶ線を境として同一方向にすることで、転写テープの繰り出し側走行路とテープ基材の巻き取り側走行路との間の間隔を小さくできるので、繰り出しリールと巻き取りリールとを収納している収納部の端部から転写ヘッドまでの間は手で把持し易い様に細長くした構造となっている。
【０００４】
また、特許文献２の様に、未使用の転写テープを巻いた転写テープの外径（パンケーキ外径）よりも繰り出しリールと同軸の大ギヤの外径を小さくして、巻き取りリールの小ギヤとの間に中間ギヤを設けることで、小型化できる塗膜転写具もある。
【０００５】
更に特許文献３の様に、両リール間をギヤによる連動機構ではなく、ベルトをクロス状にして繰り出しリールと巻き取りリールとに掛け回し、両リールを連動回転させて、転写テープの繰り出し位置の方向と巻き取り位置の方向とを同一方向にすることで先端部を細くすることも考えられている。
【０００６】
【特許文献１】特開平１０−５２９９６号公報
【特許文献２】特開２００１−４８４１４号公報
【特許文献３】特開２００１−１８５８６号公報
【発明の開示】
【発明が解決しようとする課題】
【０００７】
しかしながら、従来の塗膜転写具において、連動機構がギヤ方式である場合は、転写テープをたるみなく円滑に繰り出し巻き取ろうとすれば、繰り出しリールと同軸の大ギヤと巻き取りリールと同軸の小ギヤとの噛み合わせのギヤ比を大きくする必要がある。ところが、塗膜転写具の小型化を図るには、大ギアと小ギヤとの間で必要なギア比を確保しつつ両ギア自体の外形を小さくしなければならないので、おのずと大ギアと小ギアとの間の軸間距離を接近させることになり、塗膜転写具の使用中に大ギアと同軸上の繰り出しリールに巻回された転写テープの外径と、小ギアと同軸上の巻取りリールに巻き取られるテープ基材の外径との間で接触してしまい円滑な転写テープの繰り出しおよびテープ基材の巻き取りができなくなる。従って、大ギアの外径は未使用のパンケーキ外径よりも必然的に大きくなってしまい、塗膜転写具の外形が大ギヤの外径寸法で決定されてしまうので、デザインの多様性や塗膜転写具の小型化を図ることができないという問題が生じる。
【０００８】
その改良のため、上記の大ギヤの外径をパンケーキ外径よりも小径とするために、この大ギアと小ギアとの間に噛合する中間ギヤを介在させて、繰り出しリールおよび巻き取りリールの収納部を少しでも小さくする塗膜転写具もあるが、ギヤによる連動機構であるから転写テープが繰り出しリールから繰り出される位置の方向とテープ基材が巻き取りリールに巻き取られる位置の方向とは、大ギヤと小ギヤの両軸芯を結ぶ線を境として互いに反対方向となるので、転写テープの繰り出し側走行路と巻き取り側走行路との間が広がり、把持部は大きくなるという問題が生じる。また、両リール間をベルトのみで連動回転しても同様の問題が生じる。そこで、これらの方法で収納部の端部から転写ヘッドの間を細くすると図３の様に巻き取りリール手前でテープ基材を押し付ける押し付け部材を設けなくてはならず、この押し付け部材は、テープ基材表面を擦り付けるので塗膜の転写残り等が付着して巻き取りにくくなるという問題も生じる。
【０００９】
更に、ギヤ方式では、転写テープのたるみ等をなくすために繰り出しリールと巻き取りリールとの連動機構とは別に転写テープ等に過剰な力が加わらないように調整する張力調整機構が必要となり、コストもかかるという問題も生じる。
【００１０】
ギヤ方式以外の連動機構として、ベルトをクロス状にして、繰り出しリールと巻き取りリールとの間に巻き掛ける方法もあるが、ベルトのクロス部でベルトが互いに接触して摩擦力が生じ摩耗してしまうという問題も生じる。
【００１１】
そこで、この発明は、上記の従来の塗膜転写具が有する問題点を解決し、塗膜転写具の十分な小型化を図り、使用者にとって使いやすい塗膜転写具を提供することを目的とする。
【課題を解決するための手段】
【００１２】
そのために、テープ基材上に塗膜を設けた転写テープと、転写テープを巻いた繰り出しリールと、塗膜とテープ基材とを分けながら塗膜を被転写面に転写させる転写ヘッドと、分かれたテープ基材を巻き取る巻き取りリールとを備え、両リールを連動機構により回転させる塗膜転写具において、前記両リールとの間に中間ギヤを介在させ、一方のリールと中間ギヤとの間はベルトで伝動し、他方のリールと中間ギヤとの間はギヤで伝動することを特徴とする塗膜転写具により解決することができる。
【発明の効果】
【００１３】
以上のとおり構成することで、転写テープのパンケーキ外径より大きい大ギヤを設けることもなく、また、繰り出しリールと巻き取りリールとの間の一方のリールと中間ギヤとはベルトで連動回転し、他方のリールと中間ギヤとはギヤで連動回転するので、転写テープが繰り出しリールから繰り出される位置の方向とテープ基材が巻き取りリールに巻き取られる位置の方向とが同一方向となるため、転写テープの繰り出し側走行路と巻き取り側走行路との間の間隔を小さくできることから、繰り出しリールと巻き取りリールとを収納している収納部の端部から転写ヘッドまでの間は手で把持し易い様に細長い構造にすることができる。従って、塗膜転写具を十分に小型化することができ、塗膜転写具としての外観性の向上や、特に筆記具感覚で使用者が最も把持し易いペン型に近い形状のものとすることができるという優れた効果を有するものである。
【発明を実施するための最良の形態】
【００１４】
この発明を図１、２に示す実施例により更に説明する。
この発明の実施例である塗膜転写具（１）は、分割可能となる塗膜転写具容器（２）と、この塗膜転写具容器（２）内に未使用の転写テープ（７）を巻回された繰り出しリール（５）を回転自在に支持され、繰り出された転写テープ（７）は、転写ヘッド（４）において転写テープ（７）の表面に有する修正用塗膜を被転写面に転写した後、使用済みとなったテープ基材（８）を巻き取る巻き取りリール（６）とを回転自在に支持された機構において、繰り出しリール（５）と同軸上に形成された繰り出しプーリー（１１）と別軸の中間ギヤ（９）とはベルト（１０）で連動回転し、中間ギヤ（９）と巻き取りリール（６）の同軸上に形成された巻き取りギヤ（１２）とが噛合することにより、繰り出しリール（５）と巻き取りリール（６）とは中間ギア（９）を介して一体連動回転される。また、この塗膜転写具容器（２）の開口部（３）より転写ヘッド（４）を突出し保持している。
【００１５】
従って、繰り出しリール（５）と巻き取りリール（６）との回転方向は互いに異なり、転写テープ（７）が繰り出しリール（５）から繰り出される位置の方向と、転写後のテープ基材（８）が巻き取りリール（６）に巻き取られる位置の方向とが同一方向となり、転写テープの繰り出し側走行路と巻き取り側走行路との間の間隔を小さくできるので、繰り出しリール（５）と巻き取りリール（６）の収納部（１３）の端部から転写ヘッド（４）までの間を細長くできるため、使用者の最も把持し易いペン型の形状に近いものとすることができる。
【図面の簡単な説明】
【００１６】
【図１】この発明の実施例である塗膜転写具の正面断面図である。
【図２】この発明の実施例である塗膜転写具の一体連動回転部詳細図である。
【図３】従来の塗膜転写具の正面断面図である。
【符号の説明】
【００１７】
１  塗膜転写具
２  塗膜転写具容器
３  開口部
４  転写ヘッド
５  繰り出しリール
６  巻き取りリール
７  転写テープ
８  テープ基材
９  中間ギヤ
１０  ベルト
１１  繰り出しプーリー
１２  巻き取りギヤ
１３  収納部
２０  押し付け部材
【図１】
2006069031.tif 000003
【図２】
2006069031.tif 000004
【図３】
2006069031.tif 000005